(57)【要約】【課題】飲料容器の携帯が容易で、片手で蓋の開閉及び飲用が可能な飲用ボトル携帯具の提供。【解決手段】一側がボトルの注ぎ口に着脱自在に装着され、他側が衣類、鞄等の外部部材に着脱自在に装着されるボトル装着具と、ボトルの注ぎ口を塞ぐ蓋を着脱自在に保持する蓋保持具と、ボトル装着具と蓋保持具とを連結する連結具とからなり、蓋保持具は、連結具に対して相対回転可能な状態で連結されている【選択図】図１
2016094225.tif 000002
【特許請求の範囲】
【請求項１】
一側がボトルの注ぎ口に着脱自在に装着され、他側が衣類、鞄等の外部部材に着脱自在に装着されるボトル装着具と、
前記ボトルの注ぎ口を塞ぐ蓋を着脱自在に保持する蓋保持具と、
前記ボトル装着具と前記保持具とを連結する連結具とからなり、
前記蓋保持具は、前記連結具に対して相対回転可能な状態で連結されていることを特徴とする飲用ボトル携帯具。
【請求項２】
前記蓋保持具は、
前記連結具に対して相対回転可能に連結され、前記ボトルの蓋を保持する保持本体部と、
前記蓋の外面に密着して、前記保持本体部の回転を前記蓋に伝達する係合部と、を備えていることを特徴とする請求項１に記載の飲用ボトル携帯具。
【請求項３】
前記蓋保持具又は前記連結具のいずれかにボール部が形成され、他方に前記ボール部を抜け止め状態で回転可能に収容するボール収容部が形成されていることを特徴とする請求項１又は２に記載の飲用ボトル携帯具。
【請求項４】
前記係合部は、前記蓋の挿入方向に沿って延びるように前記保持本体部の内面に形成された複数のリブであることを特徴とする請求項１乃至３に記載の飲用ボトル携帯具。
【請求項５】
前記複数のリブは、前記蓋の挿入方向に向かって保持本体部内への突出高さが漸増していることを特徴とする請求項４に記載の飲用ボトル携帯具。
【請求項６】
前記保持本体部は、前記蓋の挿入側が開口されており、
前記開口部分に前記蓋の抜け止めを行う抜け止め突起が形成されていることを特徴とする請求項４に記載の飲用ボトル携帯具。
【請求項７】
前記蓋保持具は、保持本体部の外面に滑り止め部を有していることを特徴とする請求項１に記載の飲用ボトル携帯具。
【請求項８】
請求項１乃至７のいずれか１項に記載の飲用ボトル携帯具を装着し、ボトル本体を保護するためのスリーブ部を有することを特徴とする携帯用飲用ボトル。
【発明の詳細な説明】
【技術分野】
【０００１】
本発明は、飲用ボトルなどに装着するための飲用ボトル携帯具及びそれを装着した携帯用飲用ボトルに係り、より詳しくは、ボトルの蓋の開閉を容易にするとともに蓋を保持する部材を有する飲用ボトル携帯具及びそれを装着した携帯用飲用ボトルに関する。
【背景技術】
【０００２】
携帯用飲料容器収納具としては、従来、保冷性や保温性を付加した容器収納部としての袋体の上部に、ペットボトル等の容器を出し入れするための開口部を設けたものが一般的であり（例えば、特許文献１参照）、簡易的なタイプとしては、ボトルのくびれ部に装着するクランプを有し、ベルトに装着可能にしたボトル携帯具が知られている（特許文献２参照）。
【０００３】
近年、熱中症対策や災害時の移動時等に用いる携帯用飲料容器収納具が見直されている。このような携帯用飲料容器は、移動中や作業中に用いることが多く、片手での蓋の開閉や飲用使用が可能な簡便な蓋の開閉治具兼携帯治具を備えた携帯容器が望まれている。
【先行技術文献】
【特許文献】
【０００４】
【特許文献１】特開２００４−２２４４２０号公報
【特許文献２】実用新案登録第３０５５７９１号公報
【発明の概要】
【発明が解決しようとする課題】
【０００５】
本発明は、上記従来技術の課題に鑑みてなされたものであって、本発明の目的は、飲料容器の携帯が容易で、片手で蓋の開閉及び飲用が可能な飲用ボトル携帯具及び携帯飲用ボトルを提供することにある。
【課題を解決するための手段】
【０００６】
上記目的を達成するためになされた本発明の一態様による飲用ボトル携帯具は、一側がボトルの注ぎ口に着脱自在に装着され、他側が衣類、鞄等の外部部材に着脱自在に装着されるボトル装着具と、前記ボトルの注ぎ口を塞ぐ蓋を着脱自在に保持する蓋保持具と、前記ボトル装着具と前記保持具とを連結する連結具とからなり、前記蓋保持具は、前記連結具に対して相対回転可能な状態で連結されていることを特徴とする。
【０００７】
前記蓋保持具は、前記連結具に対して相対回転可能に連結され、前記ボトルの蓋を保持する保持本体部と、前記蓋の外面に密着して、前記保持本体部の回転を前記蓋に伝達する係合部と、を備えていることが好ましい。
【０００８】
前記蓋保持具又は前記連結具のいずれかにボール部が形成され、他方に前記ボール部を抜け止め状態で回転可能に収容するボール収容部が形成されていることが好ましい。
【０００９】
前記係合部は、前記蓋の挿入方向に沿って延びるように前記保持本体部の内面に形成された複数のリブであることが好ましい。
【００１０】
前記複数のリブは、前記蓋の挿入方向に向かって保持本体部内への突出高さが漸増していることが好ましい。
【００１１】
前記保持本体部は、前記蓋の挿入側が開口されており、前記開口部分に前記蓋の抜け止めを行う抜け止め突起が形成されていることが好ましい。
【００１２】
上記目的を達成するためになされた本発明の一態様による携帯用飲用ボトルは、前記飲用ボトル携帯具を装着し、ボトル本体を保護するためのスリーブ部を有することを特徴とする。
【発明の効果】
【００１３】
本発明の飲用ボトル携帯具によれば、ペットボトル等飲用ボトルの携帯が容易になり、片手で開栓、飲用、閉栓まで行うことができ、作業中や屋外移動中にこまめな水分補給が容易となり、夏場の熱中症対策に効果的である。
また、本発明の携帯用飲用ボトルによれば、ボトルの蓋を保持する治具が携帯治具に連結してボトルに装着されているので、鞄等の荷物を片方の手に持った場合など片手が塞がっていても、開けた蓋の置き場を探すことなしに、片手でボトルの蓋を開けて、蓋をボトルに付属させたまま片手でボトルを飲用することができる。
【図面の簡単な説明】
【００１４】
【図１】本発明の一実施形態に係る飲用ボトル携帯具をボトルに装着した状            態を示す概略図である。
【図２】本発明の一実施形態に係る飲用ボトル携帯具のボトル装着具を示す            概略図である。
【図３】本発明の一実施形態に係る飲用ボトル携帯具の連結具を示す概略図            である。
【図４】本発明の一実施形態に係る飲用ボトル携帯具の蓋保持具を示す概略            図である。
【図５】本発明の他の実施形態に係る飲用ボトル携帯具の蓋保持具を示す概            略図である。
【図６】本発明の他の実施形態に係る飲用ボトル携帯具の蓋保持具を示す概            略図である。
【図７】本発明の一実施形態に係る携帯用飲用ボトルの概略図である。
【発明を実施するための形態】
【００１５】
本発明の実施の形態を、図を参照して以下に詳述するが、本発明はこれに限定されるものではない。
図１は、本発明の一実施形態に係る飲用ボトル携帯具をボトル１に装着した状態を示す概略図である。
【００１６】
本実施形態における飲用ボトル携帯具は、一側がボトル１の注ぎ口に着脱自在に装着され、他側が衣類、鞄等の外部部材に着脱自在に装着されるボトル装着具３と、ボトルの注ぎ口を塞ぐ蓋２を着脱自在に保持する蓋保持具４ａと、ボトル装着具３と蓋保持具４ａとを連結する連結具５とからなる。
【００１７】
図２は、本発明の一実施形態に係る飲用ボトル携帯具のボトル装着具３を示す概略図である。ボトル装着具３は、一側にボトルに着脱自在に装着するための装着部３１と、他側にボトルを衣類、鞄等の外部部材に着脱自在に装着するための取付け部３２を有する。
【００１８】
図２の（Ａ）は、ボトル装着具３の装着部３１側からの平面図であり、（Ｂ）は、ボトル装着具３の側面図である。装着部３１は、ボトルの注ぎ口の下部に嵌め込むための入口が狭められた開口部を有し、取付け部３２は、衣類、鞄等のポケットやベルトなどの外部部材に挟み込むために、屈曲部を有して装着部３１から垂下するように形成されている。
【００１９】
装着部３１には、連結具５の一端が接合される。装着部３１と連結具５の接合は、接着剤による接着や熱接着等により直接行ってもよく、また、装着部３１に連結孔３３を設け、連結具５の一端に設けられた環状の接合部５４と連結してもよい。
更に、ボトル装着具３と連結具５は一体に成形されて形成されてもよい。
【００２０】
図３は、本発明の一実施形態に係る飲用ボトル携帯具の連結具５を示す概略図である。
本実施形態の連結具５は、蓋保持具と相対回転可能な状態で連結するためのボール部５１と、ボトル装着具３と蓋保持具４とを連結するための連結部５３と、を有する。
連結部５３の一方の端部にはボール部５１を有し、他方の端部にはボトル装着具３との連結のための接合部５４を有する。
【００２１】
連結部５３は、柔軟性を有する繊維や合成樹脂の紐状物や棒状物で形成することができ、接合部５４は、リング等で連結具５と接続することができる。
また、連結具５とボトル装着具３は、接合部５４を設けずに、一体に形成されてよい。
【００２２】
蓋保持具と連結具の連結は、蓋保持具又は連結具のいずれか一方にボール部が形成され、他方にボール部を抜け止め状態で回転可能に収容するボール収容部が形成されて連結されている。
図３に示した一実施形態に係る連結具５には、ボール部５１が形成されているが、蓋保持具にボール部が設けられている場合には、連結具にはボール収容部が設けられる。
【００２３】
連結部５３は、柔軟性を有する繊維や合成樹脂の紐状物や棒状物で形成することができ、接合部５４は、リング等で連結具５と接続することができる。
また、連結具５とボトル装着具３は、接合部５４を設けずに、一体に形成されてもよい。
【００２４】
図４は、本発明の一実施形態に係る飲用ボトル携帯具の蓋保持具４ａを示す概略図である。
本実施形態の蓋保持具４ａは、連結具に対して相対回転可能に連結され、ボトルの蓋を保持する保持本体部４１ａと、蓋の外面に密着して、保持本体部４１ａの回転を蓋に伝達する係合部と、連結具との連結のためのボール部を収容するためのボール収容部５２ａを備える。
図４の（Ａ）は、蓋保持具４ａの係合部に蓋が挿入される開口部側からの平面図であり、（Ｂ）は、蓋保持具４ａの側面図である。
【００２５】
係合部は、蓋の挿入方向に沿って延びるように保持本体部４１ａの内面に形成された複数のリブ４２ａであることが好ましく、複数のリブ４２ａは、蓋の挿入方向に向かって保持本体部４１ａ内への突出高さが漸増していることが好ましい。
リブ４２ａが傾斜を有することで、サイズの異なる蓋であっても係合部に収容できる程度の大きさの蓋であればサイズの異なる蓋であっても蓋保持具４ａにより開蓋、保持することができる。
【００２６】
保持本体部４１ａは、また、蓋の挿入側の開口部分に蓋の抜け止めを行うための抜け止め突起４３が形成されていることが好ましい。
抜け止め突起４３とリブ４２ａの間にはリブが形成されていない部分が設けてあり、当該部分に蓋の端部が収納されて、蓋の保持本体部４１ａからの抜けを防止する。
【００２７】
係合部は、また、保持本体部４１ａの蓋の挿入側に設けられ、内側に複数の突起部を有する環状のキャップオープナーであってもよい。
また、保持本体部４１ａは、ボトルの蓋を保持可能なクリップ形状で、蓋を保持するものであってよい。
【００２８】
蓋保持具４ａの保持本体部４１ａは、図４の（Ｂ）に示すように、一方の端が開口した円筒状形状であり、他方の端部は円錐形状の先端を切り落として開口部を設けた形状を有している。
円錐形状の先端を切り落とした形状の保持本体部４１ａの端部には、連結具のボール部を保持して連結具と回動自在に連結するための開口部とボール部を収容するための空間部とを有するボール収容部５２ａが設けられている。
【００２９】
図５及び図６は、本発明の他の実施形態に係る飲用ボトル携帯具の蓋保持具４ｂ、４ｃを示す概略図である。
図５及び図６の（Ａ）は、蓋保持具４ｂ、４ｃの係合部に蓋が挿入される開口部側からの平面図であり、（Ｂ）は、蓋保持具４ｂ、４ｃの側面図である。
図５に示した蓋保持具４ｂの保持本体部４１ｂは、一方が開口し他方が閉口した円筒状形状であり、開口した側には、蓋の挿入方向に沿って延びるように保持本体部４１ｂの内面に複数のリブ４２ｂが形成され、閉口した側には、連結具のボール部を収容するためのボール収容部である収容凹部５２ｂが形成されている。
【００３０】
図６に示した蓋保持具４ｃの保持本体部４１ｃは、両側が開口した円筒形状であり、蓋の挿入方向に沿って延びるように保持本体部４１ｃの内面に複数のリブ４２ｃが形成され、側面には連結具のボール部を収容するためのボール収容部である収容溝部５２ｃが保持本体部４１ｃの側面に円周状に形成されている。
収容溝部５２ｃには連結具のボール部が挿入され、連結具の連結部が保持本体部４１ｃの側面を収容溝部５２ｃに沿って円周状に可動になっており、蓋保持具４ｃがボトルの蓋を保持した状態で、蓋の開閉が可能になっている。
【００３１】
本発明の一実施形態に係る蓋保持具は、保持本体部の外面に滑り止め部を有していることが好ましい。滑り止め部を有することで、蓋の開閉が容易になる。
保持本体部の外面に設けられる滑り止め部は、円筒側面の円周方向に直角に設けられた溝状凹凸でもよく、円筒側面の円周方向に巻かれた柔軟性を有するゴムや樹脂材料であってもよい。
【００３２】
図７は、本発明の一実施形態に係る携帯用飲用ボトルの概略図である。本発明の一態様による携帯用飲用ボトルは、ボトル装着具３、蓋保持部４ａ、連結具５を有するボトル携帯具を装着し、ボトル１を保護するためのスリーブ部６を有する。
スリーブ部６により、結露により衣類や鞄を濡らすことが防止できる。
【００３３】
本実施形態に係る携帯用飲用ボトルによれば、着衣している衣類や、携行している鞄等の外部部材に着脱可能に装着でき、片手で開栓、飲用、閉栓まで行うことができるので、作業中や屋外移動中の水分補給が容易となり、夏場の熱中症対策に効果的である。
また、災害時の携行において、片手で操作できる携帯用ボトルは、照明の保持や身の安全確保のため有用である。
【００３４】
以上、本願明細書では、本発明の内容を表現するために、図面を参照しながら本発明の実施形態の説明を行った。ただし、本発明は、上記実施形態に限定されるものではなく、本願明細書に記載された事項に基づいて当業者が自明な変更形態や改良形態を包含するものである。
【符号の説明】
【００３５】
１  ・・・ボトル
２  ・・・蓋
３  ・・・ボトル装着部
４ａ、４ｂ、４ｃ・・・蓋保持具
５  ・・・連結具
６  ・・・スリーブ部
３１  ・・・装着部
３２  ・・・取付け部
３３  ・・・連結孔
４１ａ、４１ｂ、４１ｃ・・・保持本体部
４２ａ、４２ｂ、４２ｃ・・・リブ（係合部）
４３  ・・・抜け止め突起
５１  ・・・ボール部
５２ａ・・・ボール収容部
５２ｂ・・・収容凹部
５２ｃ・・・収容溝部
５３  ・・・連結部
５４  ・・・接合部
【図１】
2016094225.tif 000003
【図２】
2016094225.tif 000004
【図３】
2016094225.tif 000005
【図４】
2016094225.tif 000006
【図５】
2016094225.tif 000007
【図６】
2016094225.tif 000008
【図７】
2016094225.tif 000009